(57)【要約】【課題】他の電子機器への影響を抑えつつ、且つ円滑に調光することができる放電灯点灯装置及びそれを用いた照明装置、冷蔵ショーケースを提供することにある。【解決手段】商用電源を直流電源に変換する電源回路と、前記直流電源を高周波電力に変換して放電灯を高周波点灯させるインバータ回路と、前記インバータ回路のスイッチング素子を駆動させる駆動回路と、異なる複数の駆動周波数の信号を所定の周期内で切り替えて前記駆動回路に出力するとともに、それぞれの駆動周波数の出力する期間を所定の周期内で相対的に変化させる周波数制御回路とを備え、前記周波数制御回路の駆動周波数を複数切り替えて制御することを特徴とする。【選択図】図１
2008108638.tif 000002
【特許請求の範囲】
【請求項１】
商用電源を直流電源に変換する電源回路と、前記直流電源を高周波電力に変換して放電灯を高周波点灯させるインバータ回路と、前記インバータ回路のスイッチング素子を駆動させる駆動回路と、異なる複数の駆動周波数を所定の周期内で切り替えて前記駆動回路に出力するとともに、それぞれの駆動周波数の出力する期間を所定の周期内で相対的に変化させる周波数制御回路とを備え、前記周波数制御回路の駆動周波数を複数切り替えて制御することを特徴とする放電灯点灯装置。
【請求項２】
前記異なる複数の駆動周波数の変化幅を所定範囲に制限したことを特徴とする請求項１記載の放電灯点灯装置。
【請求項３】
前記異なる複数の駆動周波数の変化幅を、低い周波数に対して１．５倍以内としたことを特徴とする請求項２記載の放電灯点灯装置。
【請求項４】
前記異なる複数の駆動周波数を所定の周期内で切り替えて出力する時に、前記放電灯を点灯させるに十分高い高周波電圧を発生する駆動周波数の区間を設けたことを特徴とする請求項１記載の放電灯点灯装置。
【請求項５】
複数の放電灯に電力を供給する多灯用放電灯点灯装置を構成していることを特徴とする請求項１乃至４の何れかの１項に記載の放電灯点灯装置。
【請求項６】
異なる複数の駆動周波数を所定周期で切り替える場合に、所定の周期の位相を制御することを特徴とした請求項５記載の放電灯点灯装置。
【請求項７】
前記駆動周波数の位相を制御することを特徴とする請求項５又は６記載の放電灯点灯装置。
【請求項８】
請求項１乃至７の何れかの放電灯点灯装置を用いて成ることを特徴とする照明装置。
【請求項９】
請求項１乃至７の何れかの放電灯点灯装置を用いて成ることを特徴とする冷蔵ショーケース。
【発明の詳細な説明】
【技術分野】
【０００１】
本発明は周波数を切り替えることにより放電灯の出力を可変させることのできる調光機能を有した放電灯点灯装置及びそれを用いた照明装置及び冷蔵ショーケースに関するものである。
【背景技術】
【０００２】
図１５（ａ）に示す従来の調光用放電灯点灯装置は、商用電源を直流電圧に変換する直流電源回路１と、直流電源回路１から出力される直流電圧を高周波電力に変換するスイッチング素子Ｑ１、Ｑ２等からなるインバータ回路２と、スイッチング素子Ｑ１，Ｑ２を駆動させる駆動回路３と、外部からの調光信号Ｓに対応し、所定の周波数にてスイッチング素子Ｑ１、Ｑ２を駆動させるための駆動周波数信号を駆動回路３に出力する周波数制御回路４とから構成され、スイッチング素子Ｑ２の両端には共振用インダクタＬ１を介して蛍光ランプのような放電灯Ｌａの両方のフィラメントの一端間を接続するとともに、両側のフィラメントの非電源側端間に共振用コンデンサＣ１を接続するようになっている。
【０００３】
この従来装置では、インバータ回路２のスイッチング素子Ｑ１、Ｑ２の駆動周波数を図１５（ｂ）に示すように周波数ｆ１から周波数ｆ２の範囲で変化させて放電灯Ｌａを含む負荷回路のインピーダンスを変化させることにより、ランプ電流を変化させている。これにより放電灯Ｌａの光出力を周波数ｆ１のＡから周波数ｆ２のＢの間で変化させる所定の調光制御を行うのである。
【０００４】
しかし、この従来装置では、駆動周波数が周波数ｆ２以上のより深い調光を行う場合、放電灯Ｌａが放電の不安定領域に入ってしまうため、場合によっては立ち消えが発生する恐れがある。
【０００５】
この立ち消え発生の対策を図ったものとして、例えば特許文献１に示される放電灯点灯装置が提案されている。
【０００６】
この特許文献１に開示されている放電灯点灯装置では、図１６（ａ）に示すように駆動周波数を周波数ｆ１と周波数ｆ０との間で可変できるようにするとともに、駆動周波数ｆ０での調光より更に深い調光を行う場合、放電灯を点灯させるのに十分高い高周波電圧を発生する駆動周波数ｆ０と、可変できる周波数ｆｓとを図１６（ｂ）に示すように、所定の周期Ｔ内で切り替えてインバータ回路を駆動させることを特徴としており、周波数ｆｓの周波数を変化させることにより、より低い光出力での点灯を可能としている。
【０００７】
また、他の方法を用いた放電灯点灯装置（例えば特許文献２）も提案されている。
【０００８】
この特許文献２に開示されている放電灯点灯装置では、図１７（ａ）に示すように駆動周波数を周波数ｆ１と周波数ｆ０との間で可変できるようにする一方、使用者に不自然な印象を与えることなく、スムーズに点灯調光させる方法として、放電灯を点灯させるに十分に高い高周波電圧を発生する周波数ｆ０と、この周波数ｆ０より高い周波数ｆｄとを図１７（ｂ）に示すように所定の周期Ｔで交互に切り替えるとともに、周波数ｆ０の割合を所定の周期Ｔ内でゼロから相対的に増加させて変化させていくことで、周波数ｆ０と周波数ｆｄとが出力する期間を制御し、周波数ｆ０の出力する期間が全域に達した後、周波数ｆ０を変化させる方法を採用している。
【特許文献１】特開昭６１−２２１５７９号公報
【特許文献２】特開２００５−２０３２７４号公報
【発明の開示】
【発明が解決しようとする課題】
【０００９】
しかしながら、上述の何れの従来装置においても、放電灯を連続的に調光する場合、幅広い周波数帯域を連続的に使用する必要があるため、例えば他の電子機器（例えば、赤外線リモコンや特定周波数に対して動作する防犯タグなど）を近接して使用した場合には、各々が周波数によって干渉を起こし、他の電子機器が誤動作を起こしてしまう恐れがある。
【００１０】
このため広い帯域の周波数において電波雑音対策が必要となり、その結果雑音防止フィルター等の設計が複雑且つコストアップとなってしまうという課題がある。
【００１１】
しかも、例えば冷蔵ショーケースに組み込まれて使用される場合、非常に配線が長くなるため、配線間に発生する寄生容量の影響も考慮しなくてはならない。更に一般的に冷蔵ショーケースではあらかじめインバータ回路の共振用コンデンサが外付けで配設されていることが多く、この共振用コンデンサとしては寄生容量の影響を少なくするために１μＦ前後の比較的大きな容量のコンデンサが用いられている。
【００１２】
このため、高い周波数にて放電灯を点灯させた場合、放電灯のフィラメント部位にて発生するロスが大きくなってしまい、非常に非効率である。
【００１３】
また熱的にも高くなるため、樹脂製のソケット部に対しても溶融等の恐れが出てきてしまう。このため、冷蔵ショーケースに組み込まれて使用される放電灯点灯装置においては点灯時の発振周波数をなるべく低くする必要がある。
【００１４】
本発明は、上述の点に鑑みて為されたもので、その目的とするところは放電灯を連続的に調光する場合に、特定の周波数を回避して動作させることで、他の電子機器への影響を抑えつつ、且つ円滑に調光することができる放電灯点灯装置及びそれを用いた照明装置、冷蔵ショーケースを提供することにある。
【課題を解決するための手段】
【００１５】
上述の目的を達成するために、請求項１の放電灯点灯装置の発明では、商用電源を直流電源に変換する電源回路と、前記直流電源を高周波電力に変換して放電灯を高周波点灯させるインバータ回路と、前記インバータ回路のスイッチング素子を駆動させる駆動回路と、異なる複数の駆動周波数を所定の周期内で切り替えて前記駆動回路に出力するとともに、それぞれの駆動周波数の出力する期間を所定の周期内で相対的に変化させる周波数制御回路とを備え、前記周波数制御回路の駆動周波数を複数切り替えて制御することを特徴とする。
【００１６】
請求項１の放電灯点灯装置の発明によれば、放電灯を連続的に調光する場合に、特定の周波数を回避して動作させることで、他の電子機器への影響を抑えつつ、且つ円滑に調光することができる。
【００１７】
請求項２の放電灯点灯装置の発明では、請求項１の発明において、前記異なる複数の駆動周波数の変化幅を所定範囲に制限したことを特徴とする。
【００１８】
請求項２の放電灯点灯装置の発明によれば、インバータ回路の回路素子に加わるストレスを減少することができ、そのため回路素子のコストアップを避けることが可能となる。
【００１９】
請求項３の放電灯点灯装置の発明では、請求項２の発明において、前記異なる複数の駆動周波数の変化幅を、低い周波数に対して１．５倍以内としたことを特徴とする。
【００２０】
請求項３の放電灯点灯装置の発明によれば、インバータ回路の回路素子に加わるストレスを一層減少することができる。
【００２１】
請求項４の放電灯点灯装置の発明では、前記異なる複数の駆動周波数を所定の周期内で切り替えて出力する時に、前記放電灯を点灯させるに十分高い高周波電圧を発生する駆動周波数の区間を設けたことを特徴とする。
【００２２】
請求項４の放電灯点灯装置の発明によれば、深い調光時での立ち消え発生を防ぐことができる。
【００２３】
請求項５の放電灯点灯装置の発明では、請求項１乃至４の何れかの発明において、複数の放電灯に電力を供給する多灯用放電灯点灯装置を構成していることを特徴とする。
【００２４】
請求項５の放電灯点灯装置の発明によれば、請求項１乃至４の何れかの発明の作用効果を奏する多灯用放電灯点灯装置を提供できる。
【００２５】
請求項６の放電灯点灯装置の発明では、請求項５の発明において、異なる複数の駆動周波数を所定周期で切り替える場合に、所定の周期の位相を制御することを特徴とする。
【００２６】
請求項６の放電灯点灯装置の発明によれば、各放電灯の光出力の相互干渉やちらつきといった不具合を低減したり、直流電源回路から供給される直流電源の歪を平均化して、電源リップルを少なくし、これにより回路のロスの低減及び回路素子の発熱防止を図れる。
【００２７】
請求項７の放電灯点灯装置の発明では、請求項５又は６の発明において、前記駆動周波数の位相を制御することを特徴とする。
【００２８】
請求項７の放電灯点灯装置の発明によれば、駆動周波数の位相を制御することで、請求項６の発明の作用効果を奏する放電灯点灯装置を実現できる。
【００２９】
請求項８の照明装置の発明では、請求項１乃至７の何れかの放電灯点灯装置を用いて成ることを特徴とする。
【００３０】
請求項８の照明装置の発明によれば、請求項１乃至７の何れかの放電灯点灯装置の奏する作用効果により、他の電子機器への影響を抑えつつ、且つ円滑に調光することができる照明装置を提供することができる。
【００３１】
請求項９の冷蔵ショーケースの発明では、請求項１乃至７の何れかの放電灯点灯装置を用いて成ることを特徴とする。
【００３２】
請求項９の冷蔵ショーケースの発明によれば、請求項１乃至７の何れかの放電灯点灯装置の奏する作用効果により、他の電子機器への影響を抑えつつ、且つ円滑に調光することができる冷蔵ショーケースを提供することができる。
【発明の効果】
【００３３】
本発明は、放電灯を連続的に調光する場合に、特定の周波数を回避して動作させることで、他の電子機器への影響を抑えつつ、且つ円滑に調光することができる放電灯点灯装置及びそれを用いた照明装置、冷蔵ショーケースを提供することができるという効果がある。
【発明を実施するための最良の形態】
【００３４】
以下本発明を実施形態により説明する。
（実施形態１〉
本実施形態は、他励制御方式の放電灯点灯装置を構成するもので、図１に示すように基本的には、図１５（ａ）で示した放電灯点灯装置と同様に、直流電源回路１と、スイッチング素子Ｑ１．Ｑ２などからなるインバータ回路２と、駆動回路３と、周波数制御回路４とから構成されているが、周波数制御回路４は、光出力を制御するために異なる複数の固定された駆動周波数を発生させる機能を有し、これら異なる駆動周波数を所定の周期内で切り替えて駆動回路３に駆動信号の周波数を決める信号として出力するとともに、それぞれの駆動周波数を出力する期間を所定の周期Ｔ内で相対的に変化させて制御し、ある駆動周波数の出力する期間が全域に達した後、駆動周波数を変更して同様の動作をさせ、蛍光ランプからなる放電灯Ｌａの光出力を制御するところに特徴を有する。尚図中、図１５（ａ）と同じ構成要素には同じ符号を付している。また図では直流カット用コンデンサ等を省略して示している。
【００３５】
図２（ａ）は、周波数制御回路４が出力する駆動周波数ｆ１〜ｆ３に対する光出力の関係を示し、図中ｆ１は光出力１００％、ｆ２は光出力５０％、ｆ３は光出力５％を出力する駆動周波数である。また図２（ｂ）、（ｃ）は、各光出力に対する周波数制御回路４の駆動周波数の出力制御方法を示している。
【００３６】
而して、調光信号Ｓに対応して光出力が５％から５０％の出力となるように制御する場合、周波数制御回路４は、図２（ｂ）に示すようにｆ２、ｆ３の２つの駆動周波数からなる信号を、所定の周期Ｔにて交互に切り替えて駆動回路３に出力するとともに、駆動周波数ｆ２と駆動周波数ｆ３の割合を周期Ｔ内にて相対的に変化させる制御を行い、この制御された駆動周波数により駆動回路２から出力される駆動信号でインバータ回路３のスイッチング素子Ｑ１，Ｑ２を駆動させて放電灯Ｌａに供給する高周波電力を制御し、これにより調光を行うのである。
【００３７】
また、光出力が５０％から１００％の出力となるように制御する場合には図２（ｃ）に示すようにｆｌ、ｆ２の駆動周波数を用いて、同様の動作を行うことで調光を行う。
【００３８】
尚上述の例では、ｆ１、ｆ２、ｆ３の３つの駆動周波数を設定しているが、駆動周波数の数を増加させても同様の制御が可能であり、また所定の周期Ｔ内で切り替えて制御する駆動周波数を２つよりも多くした場合も同様の制御が可能である。つまり駆動周波数を増加させる程、より細かな制御が可能である。
【００３９】
而して本実施形態では、上述のように複数の駆動周波数を使うことで、広範囲な光出力が制御可能となる。また、駆動周波数を他の電子機器に影響を与えない周波数に選定することで、他の電子機器に影響を与えないで円滑に調光することができる。特に低い周波数を選定することで、赤外線リモコンの周波数帯域を避けて調光が可能となる。
（実施形態２）
本実施形態は、上述のように複数の駆動周波数を切り替えて制御する場合に、複数の駆動周波数の変化幅を少なくし、例えば異なる駆動周波数（例えばｆ１とｆ２）の変化幅をｆ２／ｆ１＜１．５程度となるように制限する点に特徴を有する。尚使用回路は実施形態１と同じものを使用するものとする。
【００４０】
図３（ａ）は、各駆動周波数ｆ１、ｆ２（及びｆ２’）に対する負荷回路インピーダンス（１／Ｚ）の関係を表したものであるが、ここで、インバータ回路２の駆動周波数がｆ１の時の負荷回路インピーダンスがａ、駆動周波数ｆ２の時の負荷回路インピーダンスがｂ、駆動周波数ｆ２’の負荷回路インピーダンスがｂ’であり、この時の駆動周波数の関係をｆ１＜ｆ２’＜ｆ２とする。
【００４１】
ここで、２つの駆動周波数ｆ２とｆ１を所定の周期Ｔにて瞬時に切り替える際、切り替え時間に比べると、負荷回路インピーダンスの変化には多少のタイムラグが発生し、余計に時間がかかってしまう。このため、駆動周波数がｆ２からｆ１に切り替わった瞬間、負荷回路インピーダンスは、ｂ−ａからａ−ａに徐々に変化していく。一方、２つの駆動周波数ｆ２’とｆ１で所定の周期Ｔにて瞬時に切り替える場合、負荷回路インピーダンスは、ｂ’−ａからａ−ａに徐々に変化する。
【００４２】
つまり異なる駆動周波数の変化割合が大きい程、負荷回路インピーダンスの変化幅が広がることとなるため、放電灯Ｌａの両端に発生する電圧はより増大し、インバータ回路２の回路素子に加わるストレスもより増加することとなる。
【００４３】
図４（ａ）、（ｂ）に本実施形態の構成を用いた場合の放電灯Ｌａに発生する電圧の実測波形を、図５（ａ）、（ｂ）にスイッチング素子Ｑ２のドレイン電流の実測波形を示しているが、これらの図４（ａ）、図５（ａ）から分かるように駆動周波数ｆｌと駆動周波数ｆ２との変化幅（ｆ２／ｆ１）が１．５以上の場合では、放電灯Ｌａに発生する電圧及びスイッチング素子Ｑ２のドレインの電流が大きく、そのため回路素子にストレスが発生するが、変化幅を１．５倍程度以下までに抑えると、図４（ｂ）、図５（ｂ）で示すように放電灯Ｌａに発生する電圧及びスイッチング素子Ｑ２のドレインの電流が小さくなり、回路素子のストレスは問題ないレベルまで低下する。
【００４４】
以上のことから、例えばｆ１の駆動周波数を例えば２０ｋＨｚとすると、ｆ２は３０ｋＨｚ程度、ｆ３は４５ｋＨｚ程度と設定とした方が良く、またｆ１の駆動周波数を２０ｋＨｚ、ｆ２の駆動周波数を４５ｋＨｚにて動作させたい場合、駆動周波数ｆ１と駆動周波数ｆ２の切り替えの間にｆ２’＝３０ｋＨｚとなる別の区間を設けても同様の効果が得ることができる。
【００４５】
而して本実施形態では、この駆動周波数の出力制御方法を周波数制御回路４に採用したことで、インバータ回路２の回路素子に加わるストレスを減少することができる上、回路素子のコストアップを避けることが可能となった。
（実施形態３）
本実施形態は、実施形態１における異なる駆動周波数に関して放電灯Ｌａを点灯させるに十分に高い高周波電圧を発生する駆動周波数として後述するｆ０を加えた点に特徴がある。尚使用回路は実施形態１と同じ回路を用いるものとする。
【００４６】
つまり本実施形態では、図６に示すように周波数制御回路４から交互に切り替えて出力する駆動周波数をｆ４、ｆ５とし、且つ放電灯Ｌａを点灯させるに十分に高い高周波電圧を発生する駆動周波数ｆ０とする。そして駆動周波数の関係をｆ０＜ｆ４＜ｆ５とし、ｆ４、ｆ５の駆動周波数を交互に切り替える時に駆動周波数ｆ０の期間を設け、これらの駆動周波数による駆動信号を駆動回路３から出力させてインバータ回路２のスイッチング素子Ｑ１，Ｑ２を駆動させる点に特徴がある。
【００４７】
而して、本実施形態では、上述のような駆動周波数の出力制御方法を採用することで、深い調光時には立ち消えの発生を防ぐことができるのである。
（実施形態４）
本実施形態は、実施形態１の駆動周波数の出力制御方法を採用した多灯用放電灯点灯装置であり、図７で示すように２組のインバータ回路２Ａ，２Ｂを設けて、夫々のインバータ回路２Ａ，２Ｂによって夫々に対応して接続される放電灯Ｌａ１，Ｌａ２に高周波電力を供給するようになっていす。そしてインバータ回路２Ａのスイッチング素子Ｑ１ａ、Ｑ２ａ及びインバータ回路２Ｂのスイッチング素子Ｑ１ｂ、Ｑ２ｂは駆動回路３からの同じ駆動信号で交互に駆動される。尚図中Ｌ１１，Ｌ１２は共振用インダクタ、Ｃ１１，Ｃ１２は共振用コンデンサを示し、その他の構成要素には図１の構成要素に対応した符号を付している。
【００４８】
而して本実施形態では、周波数制御回路４から出力される駆動周波数に対応した駆動回路３からの同じ駆動信号でインバータ回路２Ａ，２Ｂのスイッチング素子Ｑ１ａ，Ｑ２ａ、Ｑ１ｂ，Ｑ２ｂを駆動するため、両インバータ回路２Ａ，２Ｂの発振周波数に誤差がなく、そのため放電灯Ｌａ１，Ｌａ２間の光出力の誤差を小さくすることができる上、周波数制御回路４を共用するため回路部の小型化に対しても有効である。
【００４９】
尚周波数制御回路４の駆動周波数の出力制御方法は実施形態２〜３の方法であっても良い。また２灯用に限定されるものではなく、インバータ回路数を増やすことで３灯以上の多灯用放電灯点灯装置も構成することができる。
（実施形態５）
実施形態４では、インバータ回路２Ａのスイッチング素子Ｑ１ａ、Ｑ２ａ及びインバータ回路２Ｂのスイッチング素子Ｑ１ｂ、Ｑ２ｂを駆動回路３からの同じ駆動信号で駆動するものあるが、本実施形態では、異なる駆動周波数を所定の周期にて交互に切り替える時に放電灯毎に所定の周期の位相を制御できるようにするために、図８に示す如く駆動回路３から与える駆動信号をインバータ回路２Ａ，２Ｂ毎に分けた点で実施形態４と相違する。  尚図８中、図７の回路要素と同じ回路要素には同じ符号を付して構成の説明は省略する。
【００５０】
而して、各インバータ回路２Ａ，２Ｂに対応する異なる駆動周波数を所定周期にて切り替える周期の位相を図９（ａ）、（ｂ）に示すように同相になるように制御した場合には、インバータ回路２Ａと、インバータ回路２Ｂとが同相の駆動周波数による駆動信号によって駆動されるため、夫々に対応する各放電灯Ｌａ１．Ｌａ２の光出力の相互干渉やちらつきといった不具合を低減することが実施形態４と同様に様に可能となる。
【００５１】
一方、異なる駆動周波数を所定周期にて切り替える際に、両インバータ回路２Ａ，２Ｂに対応する周期の位相を図１０（ａ）、（ｂ）に示すように意図的にずらす制御を行うことで、直流電源回路１から供給される直流電源の歪が平均化され、結果として電源リップルを少なくすることができる。これにより回路のロスの低減及び回路素子の発熱防止にも効果がある。
（実施形態６）
実施形態５では、異なる駆動周波数を所定周期にて切り替える周期の位相を意図的にずらすことができるようにしたものであるが、本実施形態では、実施形態４或いは実施形態５と同様な回路を用いるものの、各インバータ回路２Ａ，２Ｂに対応する駆動周波数の位相を制御できるようにした点で実施形態５と相違する。
【００５２】
而して、各インバータ回路２Ａ，２Ｂのスイッチング素子Ｑ１，Ｑ２の駆動周波数の位相を図１１（ａ），（ｂ）に示すように同位相とすることで、各放電灯Ｌａ１．Ｌａ２の光出力の相互干渉やちらつきといった不具合を低減することができる。
【００５３】
一方各インバータ回路２Ａ，２Ｂのスイッチング素子Ｑ１，Ｑ２の駆動周波数の位相を図１２（ａ），（ｂ）に示すように意図的にずらす制御を行うことで、これにより、直流電源の負担が平均化され、電源リップルを少なくすることが可能となる。直流電源回路１から供給される直流電源の歪が平均化され、結果として電源リップルを少なくすることができる。これにより回路のロスの低減及び部品の発熱防止にも効果がある。
（実施形態７）
本実施形態は照明装置（照明器具）の発明に対応するものであって、図１３で示すように本実施形態の照明装置１００は主に照明器具本体１０、器具反射板１１、蛍光ランプからなる２本の放電灯Ｌａ１．Ｌａ２及び安定器１２によって構成されている。
【００５４】
ここで、照明器具本体１０には両端部に一対のランプソケット１３が２組配設されている。また、照明器具本体１０には器具反射板１１を照明器具本体１０に取り付ける固着手段として反射板取付金具１４が固定されており、化粧ネジである摘みネジ１５を器具反射板１１に開けられているネジ孔１１ａを介して反射板取付金具１４に螺入することにより照明器具本体１０と器具反射板１１とが固着される。尚ランプソケット１３は器具反射板１１に開口した孔２３を介して器具反射板１１の表側に露出される。
【００５５】
更に、照明器具本体１０には放電灯Ｌａ１，Ｌａ２を数１０〜数１００ｋＨｚの高周波で点灯させる安定器１２と、天井裏を通っている、例えばＶＶＦのような電源線１６が電源孔１７を通して直接照明器具本体１０と接続するための接続手段である電源端子台１８とが取り付けられており、安定器１２は電源端子台１０及びランプソケット５と図示しない電源線によって電気的に接続されている。
【００５６】
また、照明器具本体１０にはあらかじめボルト取付孔１９が開けられており、天井より吊られている吊りボルト２０をボルト取付孔１９に通して、照明器具本体１０の下部より座金２１とナット２２によって締め付けることにより天井に取り付けられる。
【００５７】
ここで、安定器１２には上述の実施形態４〜６の何れかの多灯用放電灯点灯装置を用いたものか、実施形態１〜３の１灯用の放電灯点灯装置を各放電灯Ｌａ１，Ｌａ２に対応して２組備えたものが用いられ、照明器具本体１０に取り付けられることによって照明装置１００が構成される。そして各対のランプソケット１３に装着される放電灯Ｌａ１，Ｌａ２の管体は器具反射板１１に取り付けられた支持ばね２４により抱持される。
【００５８】
尚本実施形態では２灯用の照明装置１００を構成しているが、上述の実施形態１〜３のような１灯用の放電灯点灯装置を用いて１灯用の照明装置を構成することもできる。
（実施形態８）
本実施形態は、冷蔵ショーケース２００の発明に対応するもので、図１４（ａ）、（ｂ）に示すように前面に商品出入れ用の開口部２５を有し、断熱壁で形成されるショーケース本体２６と内部をダクト板２７で商品収納庫２８と冷気循環ダクト２９とに区画され、該冷気循環ダクト２９内に冷却器３０を配設し、冷気循環ダクト２９の下端に空気の吸込口３１に、上端に冷気の吹出口３２を形成し、該吹出口３２から吹き出す冷気で開口部２５に冷気カーテンを形成し商品収納庫２８内を冷封するとともに、庫内への外気の侵入を防いでいる。
【００５９】
また、通常ショーケース本体２６の開口部２５の上部などにはショーケースの温度を制御したり、庫内の照明を制御するための制御装置の操作部３３と商品収納庫４内の温度を表示する温度表示器３４が設けられている。
【００６０】
更には商品収納庫」内を明るくするために各収納棚３５には蛍光ランプからなる放電灯Ｌａが取り付けられており、放電灯Ｌａを点灯させるために本発明の放電灯点灯装置を用いた安定器３６をショーケース本体２６の上部や下部に取り付けられて、これらにて冷蔵ショーケース２００が構成されている。
【００６１】
尚安定器３６としては、１灯用の放電灯点灯装置（実施形態１〜３）を放電灯数に対応して用いたものか、放電灯数に対応させた多灯用の放電灯点灯装置（実施形態４〜６に対応）を用いたもので構成される。
【図面の簡単な説明】
【００６２】
【図１】実施形態１の放電灯点灯装置の回路ブロック図である。
【図２】（ａ）は同上における光出力と駆動周波数の関係図、（ｂ）、（ｃ）は同上における周波数制御回路の駆動周波数の出力制御の説明図である。
【図３】実施形態２の放電灯点灯装置における負荷回路インピーダンスと駆動周波数の関係説明図である。
【図４】（ａ），（ｂ）は同上における放電灯の両端電圧の実測波形図である。
【図５】（ａ），（ｂ）は同上におけるインバータ回路のスイッチング素子Ｑ２のドレインーソース間電流の実測波形図である。
【図６】実施形態３における周波数制御回路の駆動周波数の出力制御の説明図である。
【図７】実施形態４の放電灯点灯装置の回路ブロック図である。
【図８】実施形態５の放電灯点灯装置の回路ブロック図である。
【図９】（ａ）、（ｂ）は同上における各インバータ回路に対応した異なる駆動周波数の切替周期の位相を同相にした場合の周波数制御回路の出力波形図である。
【図１０】（ａ）、（ｂ）は同上における各インバータ回路に対応した異なる駆動周波数の切替周期の位相をずらした場合の周波数制御回路の出力波形図である。
【図１１】（ａ）、（ｂ）は実施形態６における各インバータ回路に対応した駆動周波数の位相を同相にした場合の駆動周波数の波形図である。
【図１２】（ａ）、（ｂ）は同上における各インバータ回路に対応した駆動周波数の位相をずらした場合の駆動周波数の波形図である。
【図１３】実施形態７の照明装置（照明器具）の分解斜視図である。
【図１４】（ａ）実施形態８の冷蔵ショーケースの正面図、（ｂ）は側面断面図
【図１５】（ａ）は従来回路の回路ブロック図、（ｂ）は同上における光出力と駆動周波数の関係図である。
【図１６】（ａ）は別の従来回路における光出力と駆動周波数の関係図。（ｂ）は同上における周波数制御回路の出力波形図である。
【図１７】（ａ）は他の従来回路における光出力と駆動周波数の関係図。（ｂ）は同上における周波数制御回路の出力波形図である。
【符号の説明】
【００６３】
１  直流電源回路
２  インバータ回路
３  駆動回路
４  周波数制御回路
Ｑ１，Ｑ２  スイッチング素子
Ｌ１  共振用インダクタ
Ｃ１  共振用コンデンサ
Ｓ  調光信号
Ｌａ  放電灯
【図１】
2008108638.tif 000003
【図２】
2008108638.tif 000004
【図３】
2008108638.tif 000005
【図４】
2008108638.tif 000006
【図５】
2008108638.tif 000007
【図６】
2008108638.tif 000008
【図７】
2008108638.tif 000009
【図８】
2008108638.tif 000010
【図９】
2008108638.tif 000011
【図１０】
2008108638.tif 000012
【図１１】
2008108638.tif 000013
【図１２】
2008108638.tif 000014
【図１３】
2008108638.tif 000015
【図１４】
2008108638.tif 000016
【図１５】
2008108638.tif 000017
【図１６】
2008108638.tif 000018
【図１７】
2008108638.tif 000019